(57)【要約】【課題】  電源供給部を装着したままでしかも大型化を抑えられる電動リール用プロテクタの提供。【解決手段】  電源供給部がリール本体から突出するように着脱自在に装着される電動リールにおけるプロテクタであって、リール本体をその一側部で覆う一側覆い部と、リール本体をその他側部で覆う他側覆い部とを有し、両覆い部でリール本体を覆った際に電源供給部が挿通される電源供給部用挿通部が設けられている構成。【選択図】  図２
2008011720.tif 000002
【特許請求の範囲】
【請求項１】
電源供給部がリール本体から突出するように着脱自在に装着される電動リールにおけるプロテクタであって、
リール本体をその一側部で覆う一側覆い部と、リール本体をその他側部で覆う他側覆い部とを有し、両覆い部でリール本体を覆った際に電源供給部が挿通される電源供給部用挿通部が設けられていることを特徴とする電動リール用プロテクタ。
【請求項２】
一側覆い部はリール本体をその一側部の形状に倣って変形して覆い、他側覆い部はリール本体をその他側部の形状に倣って変形して覆うものであってリール本体の他側で互いに折り重なる複数の舌片を有し、舌片によって電源供給部が挿通される電源供給部用挿通部が形成されることを特徴とする請求項１記載の電動リール用プロテクタ。
【請求項３】
電源供給部用挿通部とは別に、リール本体に突出するように装着されたハンドルを挿通するハンドル用挿通部が設けられていることを特徴とする請求項１または請求項２記載の電動リール用プロテクタ。
【請求項４】
電源供給部用挿通部を形成する第一舌片とハンドル用挿通部を形成する第二舌片とが、それぞれ交差する方向に一対で一側覆い部の他側に一体に形成されていることを特徴とする請求項３記載の電動リール用プロテクタ。
【請求項５】
折り重なる舌片どうしに、該舌片どうしを着脱自在に取付けるための面ファスナが設けられていることを特徴とする請求項２ないし請求項４の何れかに記載の電動リール用プロテクタ。
【請求項６】
一側覆い部は他側解放の袋状に形成され、一側覆い部の底部にリール本体に備えられた情報表示画面を保護する保護部材が設けられていることを特徴とする請求項１ないし請求項５の何れかに記載の電動リール用プロテクタ。
【請求項７】
電源供給部用挿通部は、他側覆い部の他側上縁辺から底部近傍まで延設されていることを特徴とする請求項６記載の電動リール用プロテクタ。
【請求項８】
一側覆い部および他側覆い部はクッション性に富む生地であることを特徴とする請求項１ないし請求項７の何れかに記載の電動リール用プロテクタ。
【請求項９】
一側覆い部の底部は表側生地および裏側生地を有して、保護部材は表側生地および裏側生地に挟持されてこれら生地に比べて硬質でしかも可撓性を有する材料からなっていることを特徴とする請求項６ないし請求項８の何れかに記載の電動リール用プロテクタ。
【請求項１０】
一側覆い部の他側上縁辺に、リール本体に取付ける釣竿の途中部分を回避するよう一側に向けて窪む凹部が形成されていることを特徴とする請求項６ないし請求項９の何れかに記載の電動リール用プロテクタ。
【請求項１１】
一側覆い部において、リール本体から釣糸が導出される反対側の外面に、防護シートが設けられていることを特徴とする請求項１０記載の電動リール用プロテクタ。
【発明の詳細な説明】
【技術分野】
【０００１】
本発明は、釣用リールとしての電動リールを収容保護する電動リール用プロテクタに関する。
【背景技術】
【０００２】
一般に、釣人は釣場に到着した後に直ちに釣りを開始するために、予めタックルをセットしておくことがある。すなわち釣人は、釣行前に予め釣竿に釣用リールを装着し、ラインに仕掛けを組付けるようにしている。釣用リールが釣竿に装着された状態で搬送されると、釣竿から露出した釣用リールが他の道具と衝突したり、特に船釣りによる釣場の移動時等において釣用リールが他の釣り道具や船体に衝突したりすることがある。そうすると、釣用リールが損傷を受けるおそれがある。
【０００３】
このような問題を解決するために下記特許文献１および特許文献２に示すようなリールプロテクタが提案されている。これらは、タックルをセットした状態で、しかも釣用リール全体を被覆することで、釣人が釣場に到着した後に直ちに釣りを開始できるようにするとともに、釣用リールも保護できるようにしている。
【特許文献１】実用新案登録第２５３０２５９号公報
【特許文献２】実用新案登録第２５７６８２６号公報
【発明の開示】
【発明が解決しようとする課題】
【０００４】
ところで、釣用リールとしての電動リールの場合では、例えば電源供給部として電源コードを接続して使用することになる。電動リールを使用する釣行であっても、釣人は釣場に到着した後に直ちに釣りを開始するためには、電源コードを電動リールに接続しておくことが好ましい。
【０００５】
しかしながら、電源コードの一端部の端子は電動リールに設けた端子に接続されるものなので、両端子を接続した状態では、その接続部分は電動リールから大きく突出した（張出した）状態になる。したがって、両端子を接続した状態で電動リール全体を覆うとすると、接続部分が突出している分だけ他の種類の釣用リールに比べてリールプロテクタを大型化させなければならなくなる。電源コードを取外した状態で電動リールを覆うようなプロテクタとすれば大型化は抑制できるが、釣場に到着してから電源供給部を取付けるようにすると、その分だけ釣りを開始するまでに時間を必要としてしまうし、釣人にとって電源供給部を取外したり取付けたりする作業もまた、煩わしいものである。
【０００６】
そこで、本発明は上記課題に鑑み、電源供給部を装着したままでしかも大型化を抑えられる電動リール用プロテクタの提供を課題とする。
【課題を解決するための手段】
【０００７】
本発明は、電源供給部がリール本体から突出するように着脱自在に装着される電動リールにおけるプロテクタであって、リール本体をその一側部で覆う一側覆い部と、リール本体をその他側部で覆う他側覆い部とを有し、両覆い部でリール本体を覆った際に電源供給部が挿通される電源供給部用挿通部が設けられていることを特徴としている。
【０００８】
上記構成において一側覆い部と他側覆い部とでリール本体を覆う際に、電源供給部が電源供給部用挿通部に挿通されることになって、電源供給部がプロテクタ内に収納されないから、電源供給部をリール本体から取外すことなく、しかも電源供給部がプロテクタ内に収納されないことからプロテクタの大型化が抑えられ、さらにリール本体を一側覆い部と他側覆い部とで覆って保護するようになる。
なお、電源供給部としては電源コードの端部に接続されたコネクタ部がある。このような電源コードは釣り舟に置かれるバッテリに接続される。また電源供給部としては、携帯型のバッテリがあり、これはバッテリそのものを電動リール側のコネクタに直接接続するタイプである。
【０００９】
本発明の電動リール用プロテクタでは、一側覆い部はリール本体をその一側部の形状に倣って変形して覆い、他側覆い部はリール本体をその他側部の形状に倣って変形して覆うものであってリール本体の他側で互いに折り重なる複数の舌片を有し、舌片によって電源供給部が挿通される電源供給部用挿通部が形成されることを特徴としている。
【００１０】
上記構成において、一側覆い部によってリール本体の一側部がその形状に倣うように覆われ、他側覆い部の舌片どうしを重ね合わせることによって、リール本体の他側部が覆われるとともに、舌片どうしを重ね合わせることによって電源供給部用挿通部に電源供給部が挿通される。
【００１１】
本発明の電動リール用プロテクタでは、電源供給部用挿通部とは別に、リール本体に突出するように装着されたハンドルを挿通するハンドル用挿通部が設けられていることを特徴としている。
【００１２】
上記構成によれば、舌片を重ね合わせることによって、リール本体の他側部が覆われるとともに、舌片どうしを重ね合わせることによって、電源供給部用挿通部に電源供給部が挿通され、電動リールに備わっているハンドルがハンドル用挿通部に挿通されることになる。
【００１３】
本発明の電動リール用プロテクタは、電源供給部用挿通部を形成する第一舌片とハンドル用挿通部を形成する第二舌片とが、それぞれ交差する方向に一対で一側覆い部の他側に一体に形成されていることを特徴としている。
【００１４】
上記構成によれば、一側覆い部でリール本体の一側を覆い、第一舌片どうしを重ね、第二舌片どうしを重ねることで、第一舌片および第二舌片どうしが重なってリール本体の他側部を覆うようになり、電源供給部が電源供給部用挿通部に挿通される。
【００１５】
本発明の電動リール用プロテクタでは、折り重なる舌片どうしに、該舌片どうしを着脱自在に取付けるためのベルベットファスナが設けられていることを特徴としている。
【００１６】
上記構成によれば、舌片どうしを重ねてベルベットファスナどうしの係合力により、リール本体をその他側部で確実に覆うようにし、ベルベットファスナどうしの係合を外して、リール本体からプロテクタを取外すようにする。
【００１７】
本発明の電動リール用プロテクタでは、一側覆い部は他側解放の袋状に形成され、一側覆い部の底部にリール本体に備えられた情報表示画面を保護する保護部材が設けられていることを特徴としている。
【００１８】
上記構成によれば、リール本体に備えられた情報表示画面を底部に当てるようにしてリール本体をプロテクタで覆うようにすれば、保護部材によって情報表示画面が保護される。
【００１９】
本発明の電動リール用プロテクタでは、電源供給部用挿通部は、他側覆い部の他側上縁辺から底部近傍まで延設されていることを特徴としている。
【００２０】
上記構成によれば、電源供給部用挿通部を可及的に長く確保することができるので、電動リールにおける電源供給部の位置に違いがあったとしても、対応性が向上することになる。
【００２１】
本発明の電動リール用プロテクタでは、一側覆い部および他側覆い部はクッション性に富む生地であることを特徴としている。これによれば、電動リールをプロテクタで覆うことで、プロテクタの材質により電動リールの損傷を効果的に防止することになる。
【００２２】
本発明の電動リール用プロテクタでは、一側覆い部の底部は表側生地および裏側生地を有して、保護部材は表側生地および裏側生地に挟持されてこれら生地に比べて硬質でしかも可撓性を有する材料からなっていることを特徴としている。
【００２３】
上記構成において、情報表示画面を底部に当てるようしにしてリール本体をプロテクタで覆うとき、リール本体の形状に倣うように一側覆い部が変形するとともにその変形とともに保護部材も撓むが、その硬度によって情報表示画面が外力から保護され、情報表示画面の損傷を効果的に防止することになる。
【００２４】
本発明の電動リール用プロテクタでは、一側覆い部の他側上縁辺に、リール本体に取付ける釣竿の途中部分を回避するよう一側に向けて窪む凹部が形成されていることを特徴としている。
【００２５】
上記構成において、釣竿にリール本体を装着したままプロテクタでリール本体を覆うと、凹部によって釣竿の途中部分を回避するから、プロテクタが邪魔になることなく釣竿にリール本体を装着したまま、電源供給部、あるいは電源供給部およびハンドルを覆うことなくリール本体のみを覆って、プロテクタの大型化を抑えつつリール本体を保護することになる。
【００２６】
本発明の電動リール用プロテクタでは、一側覆い部において、リール本体から釣糸が導出される反対側の外面に、防護シートが設けられていることを特徴としている。
【００２７】
上記構成において、リール本体を電動リール用プロテクタで覆った状態として電動リールを船台、船縁等に載せるようにして釣竿を立てた際に、防護シートおよび電動リール用プロテクタの双方を介してリール本体が船台、船縁等に載ることになるから、リール本体の損傷を防止することが可能となる。
【発明の効果】
【００２８】
本発明によれば、一側覆い部と他側覆い部とでリール本体を覆う際に、電源供給部が挿通される電源供給部用挿通部が形成されるよう構成しているから、電源供給部がプロテクタ内に収納されず、したがって電源供給部をリール本体から取外す必要がなく、電源供給部をリール本体に接続した状態としておくことで、釣人が釣場に到着した後にプロテクタをリール本体から取外して、釣人は釣場に到着した後に直ちに釣りを開始することが可能になり、リール本体を一側覆い部と他側覆い部とで覆って保護しつつ、電源供給部がプロテクタ内に収納されないことからプロテクタの大型化を抑えることができる。
【発明を実施するための最良の形態】
【００２９】
以下、本発明に係る電動リール用プロテクタ（以下、単に「プロテクタ」と記載する）の実施形態を図面に基づいて説明する。図１はプロテクタの使用状態を示す斜視図で電動リールの情報表示画面側から描いている。図２は電動リールのベース側からの斜視図、図３は電動リールの使用状態を示す斜視図、図４ないし図７はプロテクタの単体斜視図、図８はプロテクタの断面図、図９ないし図１１はプロテクタで電動リールのリール本体を覆う途中の状態を示す斜視図である。なお、図１および図２、図９ないし図１１において、電動リール１は仮想線で示し、プロテクタは実線で示している。
【００３０】
先ず図１ないし図３に基づいて、電動リール１の概略構成を説明する。電動リール１は、リール本体２の一側部に水深等の情報を表示する液晶式の情報表示画面３を有し、リール本体２の他側部にスプール４の回転軸に連結されて該回転軸と直交する方向に延設するよう突出するハンドル５を有しており、ハンドル５に対してリール本体２の一方側面６側にドラグ機構の一部を構成するスタードラグ７が露出している。また一方側面６には、スプール４を可変に回転させる調整レバー８等が突出するようにして設けられている。情報表示画面３の反対側にはタックルとしての釣竿１０を取付けるためのベース１１が設けられている。図示しないが、リール本体２には、スプール４を配置した側とは反対側に、スプール４から釣糸を導出するための開口部が形成されている。
【００３１】
リール本体２の他方側面１２に電源供給部としての電源コード１３の端部に接続されたコネクタ部１４が着脱自在に接続されており、コネクタ部１４は電源コード１３に比べて大径に形成されている。電源供給部としては、他に携帯型のバッテリがあり、これはバッテリそのものを電動リール側のコネクタに直接接続するタイプであるが、この実施形態では、着脱自在なコネクタ部１４を有する場合で説明する。
【００３２】
次に、上記構成の電動リール１を被覆・保護するプロテクタ１５の構成を説明する。プロテクタ１５は、全体がクッション性、伸縮性に富み、防水性を有する生地、例えば合成ゴムを発泡させて形成したネオプレーンによって形成されている。プロテクタ１５を伸縮性に富む生地で形成することにより、リール本体２を被覆する際にほぼリール本体２に倣う形状となるものである。
【００３３】
プロテクタ１５は、リール本体２をその一側部１６で覆う一側覆い部１７と、この一側覆い部１７とリール本体２をその他側部１８で覆う他側覆い部２０との組合わせ（この場合、一体的に形成されて）によってなる。一側覆い部１７と他側覆い部２０とでリール本体２を覆った際に、電源供給部としてのコネクタ部１４が挿通される、電源供給部用挿通部としての電源供給部用スリット２１が設けられている。
【００３４】
一側覆い部１７は、平面視して略矩形の底部２２と、この底部２２から立上がる側部２３とを有して他側解放の袋状に形成されている。底部２２にリール本体２に備えられた情報表示画面３を保護する保護部材２４が設けられている。底部２２は互いに縫着された表側布２５および裏側布２６を有して、保護部材２４は表側布２５および裏側布２６に挟持されている。保護部材２４は表側布２５および裏側布２６に比べて硬質でしかも可撓性を有する材料からなっている。例えば合成樹脂製の薄板が用いられている。
【００３５】
側部２３は隣合う四枚の第一ないし第四パーツ布３０，３１，３２，３３の上下方向端辺部３４，３５，３６，３７が縫着されてなり、第一ないし第四パーツ布３０，３１，３２，３３の下端辺部３４，３５，３６，３７が底部２２の四辺に縫着されて一体化されている。
【００３６】
第一ないし第四パーツ布３０，３１，３２，３３のうち、対向する第一パーツ布３０、第二パーツ布３１の他側上縁辺４０，４１それぞれに、リール本体２に取付ける釣竿１０の途中部分４２（柄の部分）を回避するよう一側に湾曲するよう窪む凹部４３，４４が形成されている。凹部４３，４４それぞれの一方側に、一側にほぼ同一の長さに延設されてリール本体２の被覆時に上下に重なり合う第一舌片４５および第二舌片４６が設けられている。
【００３７】
図５に示すように、第一舌片４５および第二舌片４６の上端辺４７ａ，４７ｂはそれぞれ円弧状に形成されている。第一舌片４５および第二舌片４６の途中部分の片側辺は、それぞれ第一パーツ布３０、第二パーツ布３１に縫着されており、後述の第四パーツ布３３の一部を構成している。
【００３８】
第一舌片４５の外側面と第二舌片４６の内側面に矩形の第一面ファスナ５０，５１が縫着されている。第一舌片４５および第二舌片４６をリール本体２の被覆時に上下に重なり合うようにさせて第一面ファスナ５０，５１どうしを係合させる。
【００３９】
第一パーツ布３０の外面に防護シート５２が縫着されている。この防護シート５２は合成ゴム製のものが用いられており、その上縁辺５３は凹部４３に倣うように下方に湾曲している。また、防護シート５２の表面には、横方向の複数本の筋目５４が平行に形成されている。
【００４０】
第一ないし第四パーツ布３０，３１，３２，３３のうち、第三パーツ布３２および第四パーツ布３３はそれぞれ第一パーツ布３０、第二パーツ布３１に両側縁辺が縫着されて第一パーツ布３０、第二パーツ布３１と異なる方向（交差する方向）で対向している。
【００４１】
第三パーツ布３２の第二パーツ布３１側に、ほぼ底部２２まで到達する凹部状の電源供給部用スリット２１が形成されている。この電源供給部用スリット２１を形成することにより、第三パーツ布３２に第一舌片４５および第二舌片４６比べて大きなサイズの第三舌片５５と、第三舌片５５に電源供給部用スリット２１を介して隣に配置される覆い部５５ａが形成される。図６に示すように、第一舌片４５および第二舌片４６は、底部２２に対して垂直に立上げた場合にほぼ同一高さを有している。
【００４２】
第四パーツ布３３の幅方向途中両側が下方に切欠かれて、ハンドル用挿通部としてのハンドル用スリット５６が一対で形成されている。ハンドル用スリット５６されることで、第一舌片４５および第二舌片４６が形成されるとともに、第四パーツ布３３に第一舌片４５および第二舌片４６に比べて大きな第四舌片５７が形成されている。この第四舌片５７は、第一舌片４５、第二舌片４６および第三舌片５５に比べて長尺に（底部２２に対して垂直に立上げた場合に高く）形成され、第一舌片４５および第二舌片４６に比べて大きなサイズ（幅）に形成されている。第四舌片５７は第四パーツ布３３の幅方向途中両側が下方に切欠いて形成しており、しかも長尺に形成されていることから、底部２２を平面に載置した場合でも、支え合う部分を有しないから生地の軟性により起立した姿勢は保持しない状態にある。
【００４３】
第三舌片５５の表面および第四舌片５７の裏面に第二面ファスナ６０，６１がそれぞれ縫着されている。第三舌片５５側の第二面ファスナ６０は縦長の長方形に形成されており、第四舌片５７の第二面ファスナ６１はやや横長の長方形に形成されている。
【００４４】
なお、四枚の第一ないし第四パーツ布３０，３１，３２，３３において、第一舌片４５、第二舌片４６、第三舌片５５、および第四舌片５７、並びに電源供給部用スリット２１およびハンドル用スリット５６の縁辺には、該縁辺に沿って生地のほつれを防止するための断面Ｕ字形状の保護生地６５が縫着されている。
【００４５】
上記構成のプロテクタ１５は、図７に示すように、第一舌片４５および第二舌片４６をリール本体２の被覆時に上下に重なり合うようにさせて第一面ファスナ５０，５１どうしを係合させた後に、第二舌片４６の上側から第三舌片５５、第四舌片５７を順に重ね、第二面ファスナ６０，６１どうしを係合させるようにして用いる。但し図７は、第一舌片４５および第二舌片４６を上下に重なり合うようにさせて第一面ファスナ５０，５１どうしを係合させた後に、第二舌片４６の上側から第三舌片５５、第四舌片５７を順に重ね、第二面ファスナ６０，６１どうしを係合させるようにしてプロテクタ１５のみを袋状にした斜視図であって、図には電動リール１（リール本体２）は示していない。
【００４６】
次に、具体的に電動リール１のリール本体２を、プロテクタ１５を用いて被覆・保護する手順を説明する。図９（図１、図３および図５を併せて参照）に示すように、例えば底部２２を平面に置いて、リール本体２の一側部１６、すなわち情報表示画面３を底部２２の上面に当てるように載置するとともに、コネクタ部１４を電源供給部用スリット２１に挿通し、必要に応じてハンドル５を回転させて何れかのハンドル用スリット５６に挿通する。
【００４７】
次に図１０に示すように、第一舌片４５および第二舌片４６をこの順でリール本体２の他側部１８を上方から覆うように、且つ上下に重なり合うようにさせて第一面ファスナ５０，５１どうしを、第一舌片４５および第二舌片４６によってリール本体２の他側部１８を、伸縮性に富んだプロテクタ１５の生地の、その伸縮性を利用して適宜の締結力をもって覆うよう係合させる。なお、このようにすることで、電動リール１のベース１１に釣竿１０を取付けておくことにより、釣竿１０の外周部が凹部４３，４４に接触するようになる。
【００４８】
続いて、図１１に示すように、第三舌片５５を第二舌片４６のさらに上側から交差する方向で重ねるようにする。そうすると、同図に示すように、コネクタ部１４が電源供給部用スリット２１に、第三舌片５５および覆い部５５ａによって両側から覆われるようになる。また釣竿１０の途中部分が第三舌片５５の途中部分で上方から覆われるようになる。
【００４９】
さらに、第三舌片５５の上方から第四舌片５７を第二舌片４６に交差する方向で重ねるようにして、第三舌片５５の表面に設けた第二面ファスナ６０と、第四舌片５７の裏面に設けた第二面ファスナ６１とを係合させる。このとき、第二面ファスナ６０は縦長の長方形に形成されているから、第三舌片５５および第四舌片５７によって、リール本体２がプロテクタ１５内でぶれることなく確実に被覆・保護できるよう、第二面ファスナ６０に対する第二面ファスナ６１の位置を設定することが好ましい。
【００５０】
上記のようにして、第一舌片４５、第二舌片４６、第三舌片５５および第四舌片５７を折畳むようにしてリール本体２の一側部１６および他側部１８を被覆するようにすると、コネクタ部１４およびハンドル５の一部または前部が、プロテクタ１５から突出した状態となるとともに、リール本体２のほとんど全てがプロテクタ１５で被覆・保護されるようになり、しかも釣竿１０の途中部分のみが被・保護されることになる。そしてプロテクタ１５は、伸縮性に富んだ生地から形成しているから、電動リール１のリール本体２の大小、あるいは形状に倣うことができ、したがって、汎用性が高いものであり、防水性に富んだ生地で形成していることにより、釣行の際にリール本体２が濡れたり汚れたりするのを防止できる。
【００５１】
そして、プロテクタ１５はコネクタ部１４やハンドル５を露出させて、これらを被覆しないようにしてリール本体２のみを被覆するものであるので、プロテクタ１５が大型化するのを抑えることができる。
【００５２】
特に、底部２２には、リール本体２に備えられた情報表示画面３を保護する保護部材２４が設けられているから、底部２２に外力が働いたとしても、情報表示画面３を確実に保護することができる。また、第一パーツ布３０の外面に防護シート５２が設けられているから、リール本体２をプロテクタ１５で覆った状態として電動リール１を船台、あるいは船縁等に載せるようにして釣竿１０を立てた際に、防護シート５２およびプロテクタ１５（第一パーツ布３０）の双方を介してリール本体２が船台、あるいは船縁等に載ることになるから、リール本体２の損傷を確実に防止することができる。
【００５３】
なお、プロテクタ１５をリール本体２から取外すには、プロテクタ１５でリール本体１５を被覆するのとは逆に、第二面ファスナ６０，６１の係合を外すように第四舌片５７を第三舌片５５から取外し、第一面ファスナ５０，５１の係合を外すようにして第二舌片４６を第一舌片４５から取外しプロテクタ１５の上方を開放することで容易に行うことができ、プロテクタ１５は生地から形成していることにより、取外した後は、小さくまとめることができるから、不要時の収納場所が小さくて済む。
【００５４】
そして、このプロテクタ１５は、タックルとして釣竿１０をリール本体１０に装着したままでリール本体１０を被覆・保護するので、釣人は釣場に到着し、上記のようにしてプロテクタ１５をリール本体１０から取外せば、すぐに釣りを始めることが可能になる。
【００５５】
なお、上記実施形態では、プロテクタ１５をクッション性、伸縮性に富み、防水性を有する生地によって形成したがこれに限定されるものではなく、収納性を問題としないのであれば、例えばプロテクタ１５を、用いるリール本体１０の形状や大きさに合わせた、硬質の合成樹脂から二つ割り形状の一側被覆部と他側被覆部とから構成し、リール本体１０を上下方向あるいは左右側方から被覆・保護するようにすることも可能である。この場合、例えばリール本体１０の下部が一側となり、リール本体１０の上部が他側となるか、リール本体１０の左右方向の何れかが一側となり、その反対側が他側となる。
【００５６】
プロテクタ１５の構成を上記のようにした場合でも、一側被覆部と他側被覆部とを組合わせた際に、少なくとも電源供給部用スリット２１に相当する部分を形成しておくようにすれば、その分だけプロテクタ１５が大型化するのを抑えることができる。また、ハンドル用スリット５６に相当する部分を形成しておくことにより、プロテクタ１５が大型化するのを抑えることができる。
【００５７】
さらに、プロテクタ１５でリール本体２を覆った状態で釣糸を導出でき、プロテクタ１５を取外すのに邪魔にならないような釣糸導出部分（例えばスリット）を、例えば第二パーツ布３１に設けておくことも可能である。この場合、スプール４に巻かれた釣糸導出部分から釣糸を導出しておいて、予め釣糸に仕掛けを組付けておくことにより、釣場に到着した際にいっそう早く釣りを始めることが可能になる。
【図面の簡単な説明】
【００５８】
【図１】本発明の実施形態を示すプロテクタの電動リールの情報表示画面側から描いた斜視図
【図２】同じく電源供給部用スリット側から描いた斜視図
【図３】同じく電動リールの使用状態を示す斜視図
【図４】同じくプロテクタの他側覆い部を解放した状態の斜視図
【図５】同じくプロテクタの他側覆い部を解放して凹部および電源供給部用スリットを描いた斜視図
【図６】同じくプロテクタの他側覆い部の第一ないし第三舌片どうしを接近させた斜視図
【図７】同じくプロテクタの他側覆い部を閉じたプロテクタのみの単体斜視図
【図８】同じく図５におけるＡ−Ａ線矢視断面図
【図９】同じくプロテクタの一側覆い部でリール本体の一側を覆った状態の斜視図
【図１０】同じく図９の状態から第一舌片および第二舌片を重ねた状態の斜視図
【図１１】同じく図１０の状態から第三舌片を重ねた状態の斜視図
【符号の説明】
【００５９】
１…電動リール、２…リール本体、３…情報表示画面、４…スプール、５…ハンドル、７…スタードラグ、１０…釣竿、１３…電源コード、１４…コネクタ部、１５…プロテクタ、１７…一側覆い部、２０…他側覆い部、２１…電源供給部用スリット、２２…底部、２３…側部、２４…保護部材、２５…表側布、２６…裏側布、３０…第一パーツ布、３１…第二パーツ布、３２…第三パーツ布、３３…第四パーツ布、４３，４４…凹部、４５…第一舌片、４６…第二舌片、５０，５１…第一面ファスナ、５２…防護シート、５５…第三舌片、５５ａ…覆い部、５６…ハンドル用スリット、５７…第四舌片、６０，６１…第二面ファスナ
【図１】
2008011720.tif 000003
【図２】
2008011720.tif 000004
【図３】
2008011720.tif 000005
【図４】
2008011720.tif 000006
【図５】
2008011720.tif 000007
【図６】
2008011720.tif 000008
【図７】
2008011720.tif 000009
【図８】
2008011720.tif 000010
【図９】
2008011720.tif 000011
【図１０】
2008011720.tif 000012
【図１１】
2008011720.tif 000013